【手続補正書】
【提出日】平成18年7月27日(2006.7.27)
【手続補正１】
【補正対象書類名】特許請求の範囲
【補正対象項目名】請求項１
【補正方法】変更
【補正の内容】
【請求項１】
底面と、該底面に対向して配置された上蓋と、該上蓋と前記底面との間の空間を囲む側板とから成り、ケーブルが接続されたプリント回路板が内部に配置されたシールドボックスを有する電子機器において、
前記側板は、底面とは別部材で形成され、且つ、底面側に切り欠き部を有し、前記側板は、前記切り欠き部と底面との間で前記ケーブルを挟み込むことによって、前記ケーブルが底面に押さえ付けられた状態でシールドボックスの外部に引き出されるように取り付けられていることを特徴とする電子機器。
【手続補正２】
【補正対象書類名】特許請求の範囲
【補正対象項目名】請求項２
【補正方法】変更
【補正の内容】
【請求項２】
前記シールドボックスの側板の下端部は、前記ケーブルを押さえ付ける第１の部分と、前記シールドボックスの底板と接続し固定される第２の部分により構成されており、前記第１の部分と前記第２の部分の高さの差は、前記ケーブルの厚さに相当することを特徴とする請求項１に記載の電子機器。
【手続補正３】
【補正対象書類名】特許請求の範囲
【補正対象項目名】請求項３
【補正方法】変更
【補正の内容】
【請求項３】
前記シールドボックスの底面には、前記ケーブルの引き出し方向にはみ出し部が形成されており、前記側板の第２の部分には、前記測板を前記シールドボックスの底板に固定する、前記ケーブルの引き出し方向の折り曲げ部が形成されており、前記ケーブルは前記はみ出し部に沿って固定配置されていることを特徴とする請求項２に記載の電子機器。
【手続補正４】
【補正対象書類名】特許請求の範囲
【補正対象項目名】請求項４
【補正方法】変更
【補正の内容】
【請求項４】
前記側板の第１の部分には、前記ケーブルの引き出し方向に折り曲げ部が形成されており、該折り曲げ部により前記ケーブルは該シールドボックスの底面に押さえ付けられていることを特徴とする請求項３に記載の電子機器。
【手続補正５】
【補正対象書類名】特許請求の範囲
【補正対象項目名】請求項５
【補正方法】変更
【補正の内容】
【請求項５】
底面と、該底面に対向して配置された上蓋と、該上蓋と前記底面との間の空間を囲む側板とから成り、ケーブルが接続されたプリント回路板が内部に配置されたシールドボックスを有する電子機器において、
前記側板には、一辺が底面に一致する開口が形成され、該開口を通して前記ケーブルがシールドボックスの外部に引き出され、前記開口には、前記ケーブルを底面に押さえ付けると共に、前記ケーブルが引き出された箇所以外の前記開口を塞ぐケーブル規制部が設けられていることを特徴とする電子機器。
【手続補正６】
【補正対象書類名】特許請求の範囲
【補正対象項目名】請求項９
【補正方法】変更
【補正の内容】
【請求項９】
底面と、該底面に対向して配置された上蓋と、該上蓋と前記底面との間の空間を囲む側板とから成り、ケーブルが接続されたプリント回路板が内部に配置されたシールドボックスが、筐体の上に設置された電子機器において、
前記側板は、底面とは別部材で形成され、且つ、底面側に切り欠き部を有し、前記側板は、前記切り欠き部と底面との間で前記ケーブルを挟み込むことによって、前記ケーブルが底面に押さえ付けられた状態でシールドボックスの外部に引き出されるように取り付けられており、該引き出されたケーブルは前記筐体に近接して配線されていることを特徴とする電子機器。
【手続補正７】
【補正対象書類名】明細書
【補正対象項目名】０００８
【補正方法】変更
【補正の内容】
【０００８】
さらには、図１３の開口部３１から引き出されるケーブル３２の位置が固定されていない場合、ケーブル３２と導電部材であるシールドボックス３０との関係が逐次変化するため、ケーブル３２のインピーダンスがバラツキ、放射ノイズ発生の大きな要因となってしまうと言う問題がある。またケーブル６の移動によりケーブル６自体を傷付けることもある。
【手続補正８】
【補正対象書類名】明細書
【補正対象項目名】０００９
【補正方法】変更
【補正の内容】
【０００９】
このような課題を解決するため本発明においては、底面と、該底面に対向して配置された上蓋と、該上蓋と前記底面との間の空間を囲む側板とから成り、ケーブルが接続されたプリント回路板が内部に配置されたシールドボックスを有する電子機器において、前記側板は、底面とは別部材で形成され、且つ、底面側に切り欠き部を有し、前記側板は、前記切り欠き部と底面との間で前記ケーブルを挟み込むことによって、前記ケーブルが底面に押さえ付けられた状態でシールドボックスの外部に引き出されるように取り付けられている電子機器を提供している。
【手続補正９】
【補正対象書類名】明細書
【補正対象項目名】００１０
【補正方法】変更
【補正の内容】
【００１０】
また本発明によれば、前記シールドボックスの側板の下端部は、前記ケーブルを押さえ付ける第１の部分と、前記シールドボックスの底板と接続し固定される第２の部分により構成されており、前記第１の部分と前記第２の部分の高さの差は、前記ケーブルの厚さに相当する電子機器を提供している。
【手続補正１０】
【補正対象書類名】明細書
【補正対象項目名】００１１
【補正方法】変更
【補正の内容】
【００１１】
また本発明によれば、前記シールドボックスの底板には、前記ケーブルの引き出し方向にはみ出し部が形成されており、前記側板の第２の部分には、前記測板を前記ケーブルの引き出し方向の折り曲げ部が形成されており、前記ケーブルは前記はみ出し部に沿って固定配置されている電子機器を提供している。
【手続補正１１】
【補正対象書類名】明細書
【補正対象項目名】００１２
【補正方法】変更
【補正の内容】
【００１２】
また本発明によれば、前記側板の第１の部分には、前記ケーブルの引き出し方向に折り曲げ部が形成されており、該折り曲げ部により前記ケーブルは該シールドボックスの底面に押さえ付けられている電子機器を提供している。
【手続補正１２】
【補正対象書類名】明細書
【補正対象項目名】００１３
【補正方法】変更
【補正の内容】
【００１３】
また本発明によれば、底面と、該底面に対向して配置された上蓋と、該上蓋と前記底面との間の空間を囲む側板とから成り、ケーブルが接続されたプリント回路板が内部に配置されたシールドボックスを有する電子機器において、前記側板には、一辺が底面に一致する開口が形成され、該開口を通して前記ケーブルがシールドボックスの外部に引き出され、前記開口には、前記ケーブルを底面に押さえ付けると共に、前記ケーブルが引き出された箇所以外の前記開口を塞ぐケーブル規制部が設けられている電子機器を提供している。
【手続補正１３】
【補正対象書類名】明細書
【補正対象項目名】００１７
【補正方法】変更
【補正の内容】
【００１７】
また本発明によれば、底面と、該底面に対向して配置された上蓋と、該上蓋と前記底面との間の空間を囲む側板とから成り、ケーブルが接続されたプリント回路板が内部に配置されたシールドボックスが、筐体の上に設置された電子機器において、前記側板は、底面とは別部材で形成され、且つ、底面側に切り欠き部を有し、前記側板は、前記切り欠き部と底面との間で前記ケーブルを挟み込むことによって、前記ケーブルが底面に押さえ付けられた状態でシールドボックスの外部に引き出されるように取り付けられており、該引き出されたケーブルは前記筐体に近接して配線されていることを特徴とする電子機器。電子機器を提供している。
【手続補正１４】
【補正対象書類名】明細書
【補正対象項目名】００３０
【補正方法】変更
【補正の内容】
【００３０】
測定は被測定物を電波暗室に持ち込み３ｍ法により測定した。また、比較のため図１３に示したシールドボックスを用いた測定も行った。この時のシールドボックスの形状は、高さ５ｍｍ、幅５０ｍｍの開口部が側板２ａの中央部に形成されていること意外は、全く同じものを使用した。シールドボックスの内部に配置されているプリント回路板も同様のものを使用した。実験結果を図４に、比較実験結果を図５に示す。なを、どちらの図も水平偏波を測定した値である。